(57)【要約】  ネットワーク中のアクセスポイントによる送信を使用して、ワイヤレスネットワーク中で衝突を検出して、解決する。各アクセスポイントは、１組のリソースからあるリソースを選択して、選択されたリソース上でそのアクセスポイントの一意的な識別子の表示を送信する。各アクセスポイントは、一意的な識別子に基づいてビットを選択し、それをアクセスポイントの再使用された識別子に対して付加して、アクセスポイントによって送信された信号をチャネル化するのに使用されるチャネル化パラメータを提供する。所定のアクセスポイントによる選択は擬似ランダムであってもよい。別のノード（アクセス端末）が、アクセスポイントの送信に基づいて衝突を識別する。このノードは、送信を停止させるために、アクセスポイントの１つに衝突の表示を送信し、別の衝突しているアクセスポイントの存在および識別について、あるアクセスポイントに通知して、衝突を解決させる。【選択図】図１
2011514103.tif 000002
【特許請求の範囲】
【請求項１】
ワイヤレス通信の方法において、
ネットワーク内でアクセスポイントを一意的に識別する第１の識別子を提供することと、
前記第１の識別子に基づいて、信号を発生させることと
を含む方法。
【請求項２】
前記信号は、前記第１の識別子に基づいて擬似ランダムに発生される、請求項１記載の方法。
【請求項３】
前記第１の識別子は、グローバルセル識別子、アクセスノード識別子、または、セクタ識別子を含む、請求項１記載の方法。
【請求項４】
前記信号の発生は、
前記第１の識別子に基づいて、少なくとも１つのビットを規定することと、
前記少なくとも１つのビットを、前記アクセスポイントの第２の識別子に対して付加することによって、チャネル化パラメータを提供することと、
前記チャネル化パラメータに基づいたチャネル化を使用して、前記信号を送信することと
を含み、
前記第２の識別子は、前記第１の識別子より短い、請求項１記載の方法。
【請求項５】
前記少なくとも１つのビットは、前記第１の識別子に基づいて擬似ランダムに規定される、請求項４記載の方法。
【請求項６】
前記第２の識別子は、物理的セル識別子、または、パイロット擬似ランダム番号識別子を含み、
前記チャネル化は、時間ホッピング、スクランブリング、および、エラー訂正からなるグループのうちの少なくとも１つを含む、請求項４記載の方法。
【請求項７】
前記信号の発生は、
１組のリソースのうちから、あるリソースを選択することと、
前記選択されたリソースによって、前記第１の識別子の表示を送信することと
を含む、請求項１記載の方法。
【請求項８】
前記リソースは、前記第１の識別子に基づいて擬似ランダムに選択される、請求項７記載の方法。
【請求項９】
前記１組のリソースは、１組のフレーム、１組の低再使用プリアンブル、１組の時分割多重化リソース、および、１組の周波数分割多重化リソースからなるグループのうちの少なくとも１つを含む、請求項７記載の方法。
【請求項１０】
前記表示の送信は、前記アクセスポイントの第２の識別子に基づいたチャネル化を使用し、
前記第２の識別子は、前記第１の識別子より短い、請求項７記載の方法。
【請求項１１】
前記第２の識別子は、物理的セル識別子、または、パイロット擬似ランダム番号識別子を含み、
前記チャネル化は、時間ホッピング、スクランブリング、および、エラー訂正からなるグループのうちの少なくとも１つを含む、請求項１０記載の方法。
【請求項１２】
前記信号の発生は、前記アクセスポイントの第２の識別子に基づいたチャネル化を使用して、前記信号を送信することを含み、
前記方法は、
前記第２の識別子の使用に関係する衝突の表示を受信することをさらに含む、請求項１記載の方法。
【請求項１３】
前記第２の識別子を使用する、別のアクセスポイントの識別子を受信することと、
前記衝突を解決するために、前記別のアクセスポイントと通信することと
をさらに含む、請求項１２記載の方法。
【請求項１４】
前記衝突の表示は、衝突報告のために専用のチャネルによって受信され、
前記方法は、
前記衝突の表示の受信に応答して、少なくとも１つのリソース上での送信を停止することをさらに含む、請求項１２記載の方法。
【請求項１５】
ワイヤレス通信のための装置において、
ネットワーク内でアクセスポイントを一意的に識別する第１の識別子を提供するように構成されている識別子プロバイダと、
前記第１の識別子に基づいて、信号を発生させるように構成されている信号発生器と
を具備する装置。
【請求項１６】
前記信号は、前記第１の識別子に基づいて擬似ランダムに発生される、請求項１５記載の装置。
【請求項１７】
前記第１の識別子は、グローバルセル識別子、アクセスノード識別子、または、セクタ識別子を含む、請求項１５記載の装置。
【請求項１８】
前記信号の発生は、
前記第１の識別子に基づいて、少なくとも１つのビットを規定することと、
前記少なくとも１つのビットを、前記アクセスポイントの第２の識別子に対して付加することによって、チャネル化パラメータを提供することと、
前記チャネル化パラメータに基づいたチャネル化を使用して、前記信号を送信することと
を含み、
前記第２の識別子は、前記第１の識別子より短い、請求項１５記載の装置。
【請求項１９】
前記少なくとも１つのビットは、前記第１の識別子に基づいて擬似ランダムに規定される、請求項１８記載の装置。
【請求項２０】
前記第２の識別子は、物理的セル識別子、または、パイロット擬似ランダム番号識別子を含み、
前記チャネル化は、時間ホッピング、スクランブリング、および、エラー訂正からなるグループのうちの少なくとも１つを含む、請求項１８記載の装置。
【請求項２１】
前記信号の発生は、
１組のリソースのうちから、あるリソースを選択することと、
前記選択されたリソースによって、前記第１の識別子の表示を送信することと
を含む、請求項１５記載の装置。
【請求項２２】
前記リソースは、前記第１の識別子に基づいて擬似ランダムに選択される、請求項２１記載の装置。
【請求項２３】
前記表示の送信は、前記アクセスポイントの第２の識別子に基づいたチャネル化を使用し、
前記第２の識別子は、前記第１の識別子より短い、請求項２１記載の装置。
【請求項２４】
前記信号の発生は、前記アクセスポイントの第２の識別子に基づいたチャネル化を使用して、前記信号を送信することを含み、
前記装置は、
衝突報告のために専用のチャネルによって、前記第２の識別子の使用に関係する衝突の表示を受信するように構成されている受信機と、
前記衝突の表示の受信に応答して、少なくとも１つのリソース上での送信を停止するように構成されている衝突制御装置と
をさらに具備する、請求項１５記載の装置。
【請求項２５】
ワイヤレス通信のための装置において、
ネットワーク内でアクセスポイントを一意的に識別する第１の識別子を提供する手段と、
前記第１の識別子に基づいて、信号を発生させる手段と
を具備する装置。
【請求項２６】
前記信号は、前記第１の識別子に基づいて擬似ランダムに発生される、請求項２５記載の装置。
【請求項２７】
前記第１の識別子は、グローバルセル識別子、アクセスノード識別子、または、セクタ識別子を含む、請求項２５記載の装置。
【請求項２８】
前記信号の発生は、
前記第１の識別子に基づいて、少なくとも１つのビットを規定することと、
前記少なくとも１つのビットを、前記アクセスポイントの第２の識別子に対して付加することによって、チャネル化パラメータを提供することと、
前記チャネル化パラメータに基づいたチャネル化を使用して、前記信号を送信することと
を含み、
前記第２の識別子は、前記第１の識別子より短い、請求項２５記載の装置。
【請求項２９】
前記少なくとも１つのビットは、前記第１の識別子に基づいて擬似ランダムに規定される、請求項２８記載の装置。
【請求項３０】
前記第２の識別子は、物理的セル識別子、または、パイロット擬似ランダム番号識別子を含み、
前記チャネル化は、時間ホッピング、スクランブリング、および、エラー訂正からなるグループのうちの少なくとも１つを含む、請求項２８記載の装置。
【請求項３１】
前記信号の発生は、
１組のリソースのうちから、あるリソースを選択することと、
前記選択されたリソースによって、前記第１の識別子の表示を送信することと
を含む、請求項２５記載の装置。
【請求項３２】
前記リソースは、前記第１の識別子に基づいて擬似ランダムに選択される、請求項３１記載の装置。
【請求項３３】
前記表示の送信は、前記アクセスポイントの第２の識別子に基づいたチャネル化を使用し、
前記第２の識別子は、前記第１の識別子より短い、請求項３１記載の装置。
【請求項３４】
前記信号の発生は、前記アクセスポイントの第２の識別子に基づいたチャネル化を使用して、前記信号を送信することを含み、
前記装置は、
衝突報告のために専用のチャネルによって、前記第２の識別子の使用に関係する衝突の表示を受信する手段と、
前記衝突の表示の受信に応答して、少なくとも１つのリソース上での送信を停止する手段と
をさらに具備する、請求項２５記載の装置。
【請求項３５】
コンピュータ読取可能媒体を備えるコンピュータプログラム製品において、
前記コンピュータ読取可能媒体は、前記コンピュータに、
ネットワーク内でアクセスポイントを一意的に識別する第１の識別子を提供させるためのコードと、
前記第１の識別子に基づいて、信号を発生させるためのコードと
を含むコンピュータプログラム製品。
【請求項３６】
前記信号は、前記第１の識別子に基づいて擬似ランダムに発生される、請求項３５記載のコンピュータプログラム製品。
【請求項３７】
前記信号の発生は、
前記第１の識別子に基づいて、少なくとも１つのビットを規定することと、
前記少なくとも１つのビットを、前記アクセスポイントの第２の識別子に対して付加することによって、チャネル化パラメータを提供することと、
前記チャネル化パラメータに基づいたチャネル化を使用して、前記信号を送信することと
を含み、
前記第２の識別子は、前記第１の識別子より短い、請求項３５記載のコンピュータプログラム製品。
【請求項３８】
前記信号の発生は、
１組のリソースのうちから、あるリソースを選択することと、
前記選択されたリソースによって、前記第１の識別子の表示を送信することと
を含む、請求項３５記載のコンピュータプログラム製品。
【請求項３９】
ワイヤレス通信の方法において、
再使用されているアクセスポイント識別子に基づいてチャネル化されている第１のアクセスポイントからの送信を検出することと、
前記再使用されているアクセスポイント識別子に基づいてチャネル化されている第２のアクセスポイントからの送信を検出することと、
前記送信の検出に基づいて、衝突を識別することと
を含む方法。
【請求項４０】
前記再使用されているアクセスポイント識別子は、物理的セル識別子、または、パイロット擬似ランダム番号識別子を含む、請求項３９記載の方法。
【請求項４１】
前記第１のアクセスポイントからの前記送信は、ネットワーク内で前記第１のアクセスポイントを一意的に識別する第１の識別子に基づいており、
前記第２のアクセスポイントからの前記送信は、ネットワーク内で前記第２のアクセスポイントを一意的に識別する第２の識別子に基づいている、請求項３９記載の方法。
【請求項４２】
前記第１のアクセスポイントからの前記送信は、前記第１の識別子に擬似ランダムに基づいており、
前記第２のアクセスポイントからの前記送信は、前記第２の識別子に擬似ランダムに基づいている、請求項４１記載の方法。
【請求項４３】
前記第１の識別子は、グローバルセル識別子、アクセスノード識別子、または、セクタ識別子を含み、
前記第２の識別子は、グローバルセル識別子、アクセスノード識別子、または、セクタ識別子を含む、請求項４１記載の方法。
【請求項４４】
前記第１のアクセスポイントからの前記送信の検出は、前記第１の識別子に基づいて、第１のリソース上で送信することを選出している前記第１のアクセスポイントからもたらされた、前記第１のリソース上での信号を検出することを含み、
前記第２のアクセスポイントからの前記送信の検出は、前記第２の識別子に基づいて、第２のリソース上で送信することを選出している前記第２のアクセスポイントからもたらされた、前記第２のリソース上での信号を検出することを含む、請求項４１記載の方法。
【請求項４５】
前記第１のアクセスポイントによる前記選出は、前記第１の識別子に擬似ランダムに基づいており、
前記第２のアクセスポイントによる前記選出は、前記第２の識別子に擬似ランダムに基づいている、請求項４４記載の方法。
【請求項４６】
前記第１のリソース上で送信された信号は、前記第１の識別子の表示を含み、前記第２のリソース上で送信された信号は、前記第２の識別子の表示を含む、請求項４４記載の方法。
【請求項４７】
前記第１および第２のリソースは、１組のフレーム、１組の低再使用プリアンブル、１組の時分割多重化リソース、および、１組の周波数分割多重化リソースからなるグループのうちの少なくとも１つを含む、請求項４４記載の方法。
【請求項４８】
前記第１のアクセスポイントからの前記送信の検出は、前記第１の識別子に基づく第１のチャネル化パラメータを使用して送信することを選出している前記第１のアクセスポイントからもたらされた信号を、第１のチャネル化を使用して検出することを含み、
前記第２のアクセスポイントからの前記送信の検出は、前記第２の識別子に基づく第２のチャネル化パラメータを使用して送信することを選出している前記第２のアクセスポイントからもたらされた信号を、第２のチャネル化を使用して検出することを含む、請求項４１記載の方法。
【請求項４９】
前記第１のアクセスポイントによる前記選出は、前記第１の識別子に擬似ランダムに基づいており、
前記第２のアクセスポイントによる前記選出は、前記第２の識別子に擬似ランダムに基づいている、請求項４８記載の方法。
【請求項５０】
前記第１のチャネル化パラメータは、前記再使用されたアクセスポイント識別子と、前記第１の識別子に基づいて規定された少なくとも１つのビットとの組み合わせを含み、
前記第２のチャネル化パラメータは、前記再使用されたアクセスポイント識別子と、前記第２の識別子に基づいて規定された少なくとも１つのビットとの組み合わせを含む、請求項４８記載の方法。
【請求項５１】
前記衝突の表示を送信して、前記第１のアクセスポイントに、少なくとも１つのリソース上での送信を停止させることをさらに含み、
前記表示は、前記第１のアクセスポイントを識別する、請求項３９記載の方法。
【請求項５２】
前記第１のアクセスポイントが、前記少なくとも１つのリソース上での送信を停止した後に、前記第１および第２のアクセスポイントのうちの少なくとも１つの識別子を、前記第２のアクセスポイントに対して送信することをさらに含む、請求項５１記載の方法。
【請求項５３】
前記表示は、衝突報告のために予約されている少なくとも１つのチャネル上で送信される、請求項５１記載の方法。
【請求項５４】
ワイヤレス通信のための装置において、
再使用されているアクセスポイント識別子に基づいてチャネル化されている第１のアクセスポイントからの送信を検出するように構成されており、前記再使用されているアクセスポイント識別子に基づいてチャネル化されている第２のアクセスポイントからの送信を検出するようにさらに構成されている受信機と、
前記送信の検出に基づいて、衝突を識別するように構成されている衝突識別器と
を具備する装置。
【請求項５５】
前記第１のアクセスポイントからの前記送信は、ネットワーク内で前記第１のアクセスポイントを一意的に識別する第１の識別子に基づいており、
前記第２のアクセスポイントからの前記送信は、ネットワーク内で前記第２のアクセスポイントを一意的に識別する第２の識別子に基づいている、請求項５４記載の装置。
【請求項５６】
前記第１のアクセスポイントからの前記送信は、前記第１の識別子に擬似ランダムに基づいており、
前記第２のアクセスポイントからの前記送信は、前記第２の識別子に擬似ランダムに基づいている、請求項５５記載の装置。
【請求項５７】
前記第１のアクセスポイントからの前記送信の検出は、前記第１の識別子に基づいて、第１のリソース上で送信することを選出している前記第１のアクセスポイントからもたらされた、前記第１のリソース上での信号を検出することを含み、
前記第２のアクセスポイントからの前記送信の検出は、前記第２の識別子に基づいて、第２のリソース上で送信することを選出している前記第２のアクセスポイントからもたらされた、前記第２のリソース上での信号を検出することを含む、請求項５５記載の装置。
【請求項５８】
前記第１のリソース上で送信された信号は、前記第１の識別子の表示を含み、前記第２のリソース上で送信された信号は、前記第２の識別子の表示を含む、請求項５７記載の装置。
【請求項５９】
前記第１のアクセスポイントからの前記送信の検出は、前記第１の識別子に基づく第１のチャネル化パラメータを使用して送信することを選出している前記第１のアクセスポイントからもたらされた信号を、第１のチャネル化を使用して検出することを含み、
前記第２のアクセスポイントからの前記送信の検出は、前記第２の識別子に基づく第２のチャネル化パラメータを使用して送信することを選出している前記第２のアクセスポイントからもたらされた信号を、第２のチャネル化を使用して検出することを含む、請求項５５記載の装置。
【請求項６０】
前記第１のチャネル化パラメータは、前記再使用されたアクセスポイント識別子と、前記第１の識別子に基づいて規定された少なくとも１つのビットとの組み合わせを含み、
前記第２のチャネル化パラメータは、前記再使用されたアクセスポイント識別子と、前記第２の識別子に基づいて規定された少なくとも１つのビットとの組み合わせを含む、請求項５９記載の装置。
【請求項６１】
前記第１のアクセスポイントに、少なくとも１つのリソース上での送信を停止させるために、前記衝突の表示を送信するように構成されている送信機をさらに具備し、
前記表示は、前記第１のアクセスポイントを識別し、
前記送信機は、衝突報告のために予約されている少なくとも１つのチャネル上で前記表示を送信する、請求項５４記載の装置。
【請求項６２】
ワイヤレス通信のための装置において、
再使用されているアクセスポイント識別子に基づいてチャネル化されている第１のアクセスポイントからの送信を検出し、前記再使用されているアクセスポイント識別子に基づいてチャネル化されている第２のアクセスポイントからの送信を検出する手段と、
前記送信の検出に基づいて、衝突を識別する手段と
を具備する装置。
【請求項６３】
前記第１のアクセスポイントからの前記送信は、ネットワーク内で前記第１のアクセスポイントを一意的に識別する第１の識別子に基づいており、
前記第２のアクセスポイントからの前記送信は、ネットワーク内で前記第２のアクセスポイントを一意的に識別する第２の識別子に基づいている、請求項６２記載の装置。
【請求項６４】
前記第１のアクセスポイントからの前記送信は、前記第１の識別子に擬似ランダムに基づいており、
前記第２のアクセスポイントからの前記送信は、前記第２の識別子に擬似ランダムに基づいている、請求項６３記載の装置。
【請求項６５】
前記第１のアクセスポイントからの前記送信の検出は、前記第１の識別子に基づいて、第１のリソース上で送信することを選出している前記第１のアクセスポイントからもたらされた、前記第１のリソース上での信号を検出することを含み、
前記第２のアクセスポイントからの前記送信の検出は、前記第２の識別子に基づいて、第２のリソース上で送信することを選出している前記第２のアクセスポイントからもたらされた、前記第２のリソース上での信号を検出することを含む、請求項６３記載の装置。
【請求項６６】
前記第１のリソース上で送信された信号は、前記第１の識別子の表示を含み、前記第２のリソース上で送信された信号は、前記第２の識別子の表示を含む、請求項６５記載の装置。
【請求項６７】
前記第１のアクセスポイントからの前記送信の検出は、前記第１の識別子に基づく第１のチャネル化パラメータを使用して送信することを選出している前記第１のアクセスポイントからもたらされた信号を、第１のチャネル化を使用して検出することを含み、
前記第２のアクセスポイントからの前記送信の検出は、前記第２の識別子に基づく第２のチャネル化パラメータを使用して送信することを選出している前記第２のアクセスポイントからもたらされた信号を、第２のチャネル化を使用して検出することを含む、請求項６３記載の装置。
【請求項６８】
前記第１のチャネル化パラメータは、前記再使用されたアクセスポイント識別子と、前記第１の識別子に基づいて規定された少なくとも１つのビットとの組み合わせを含み、
前記第２のチャネル化パラメータは、前記再使用されたアクセスポイント識別子と、前記第２の識別子に基づいて規定された少なくとも１つのビットとの組み合わせを含む、請求項６７記載の装置。
【請求項６９】
前記第１のアクセスポイントに、少なくとも１つのリソース上での送信を停止させるために、前記衝突の表示を送信する手段をさらに具備し、
前記表示は、前記第１のアクセスポイントを識別し、
前記送信手段は、衝突報告のために予約されている少なくとも１つのチャネル上で前記表示を送信する、請求項６２記載の装置。
【請求項７０】
コンピュータ読取可能媒体を備えるコンピュータプログラム製品において、
前記コンピュータ読取可能媒体は、前記コンピュータに、
再使用されているアクセスポイント識別子に基づいてチャネル化されている第１のアクセスポイントからの送信を検出させるためのコードと、
前記再使用されているアクセスポイント識別子に基づいてチャネル化されている第２のアクセスポイントからの送信を検出させるためのコードと、
前記送信の検出に基づいて、衝突を識別させるためのコードと
を含むコンピュータプログラム製品。
【請求項７１】
前記第１のアクセスポイントからの前記送信は、ネットワーク内で前記第１のアクセスポイントを一意的に識別する第１の識別子に基づいており、
前記第２のアクセスポイントからの前記送信は、ネットワーク内で前記第２のアクセスポイントを一意的に識別する第２の識別子に基づいている、請求項７０記載のコンピュータプログラム製品。
【請求項７２】
前記第１のアクセスポイントからの前記送信は、前記第１の識別子に擬似ランダムに基づいており、
前記第２のアクセスポイントからの前記送信は、前記第２の識別子に擬似ランダムに基づいている、請求項７１記載のコンピュータプログラム製品。
【請求項７３】
前記第１のアクセスポイントからの前記送信の検出は、前記第１の識別子に基づいて、第１のリソース上で送信することを選出している前記第１のアクセスポイントからもたらされた、前記第１のリソース上での信号を検出することを含み、
前記第２のアクセスポイントからの前記送信の検出は、前記第２の識別子に基づいて、第２のリソース上で送信することを選出している前記第２のアクセスポイントからもたらされた、前記第２のリソース上での信号を検出することを含む、請求項７１記載のコンピュータプログラム製品。
【請求項７４】
前記第１のアクセスポイントからの前記送信の検出は、前記第１の識別子に基づく第１のチャネル化パラメータを使用して送信することを選出している前記第１のアクセスポイントからもたらされた信号を、第１のチャネル化を使用して検出することを含み、
前記第２のアクセスポイントからの前記送信の検出は、前記第２の識別子に基づく第２のチャネル化パラメータを使用して送信することを選出している前記第２のアクセスポイントからもたらされた信号を、第２のチャネル化を使用して検出することを含む、請求項７１記載のコンピュータプログラム製品。
【発明の詳細な説明】
【優先権の主張】
【０００１】
本出願は、２００８年３月３日に出願され、代理人整理番号第０８０８７９Ｐ１を割り当てられ、公開されている米国仮特許出願第６１／０３３，３２２号に対する優先権と、これに対する利益を主張し、この開示は、ここで参照により組み込まれている。
【分野】
【０００２】
本発明は、一般的にワイヤレス通信に関連し、制限的ではないが、より詳細には、衝突検出に関連する。
【背景】
【０００３】
ワイヤレス通信システムは、複数のユーザに対して、さまざまなタイプの通信（例えば、音声、データ、マルチメディアサービス等）を提供するために、広く配備されている。高いレートおよびマルチメディアデータサービスに対する需要の急速な成長に伴って、拡張された性能を有する、効率的で堅牢な通信システムを実現する挑戦がある。
【０００４】
従来の移動体電話ネットワークアクセスポイントを補うために、移動体ユニットに対する、より堅牢な屋内ワイヤレスカバレッジを提供するために、小さいカバレッジアクセスポイントが配備されてもよい（例えば、ユーザの家においてインストールされてもよい）。このような小さいカバレッジアクセスポイントは、一般的に、アクセスポイント基地局、ホームノードＢ、ホームｅノードＢ、ピコセル、または、フェムトセルとして知られている。一般的に、このような小さいカバレッジアクセスポイントは、ＤＳＬルータまたはケーブルモデムによって、インターネットと移動体オペレーターのネットワークに接続されている。
【０００５】
従来のワイヤレスネットワークにおいて、各アクセスポイント（例えば、各セクタまたはセル）は、例えば、グローバルセル識別子（“ＧＣＩ”）、セクタ識別子（“セクタＩＤ”）、アクセスノード識別子（“ＡＮＩＤ”）、または、他の何らかのタイプの識別子として呼ばれてもよい、長い識別子を割り当てられる。さらに、各アクセスポイントは、例えば、物理的セル識別子（“ＰＣＩ”）、パイロット擬似ランダム番号（“ＰｉｌｏｔＰＮ”）、または、他の何らかのタイプの識別子として呼ばれてもよい、短い識別子を割り当てられてもよい。短い識別子を使用して、物理レイヤチャネルを変調してもよい。この識別子は、比較的短いので、アクセス端末は、その短い識別子に対応している、時分割多重化（“ＴＤＭ”）パイロットのような波形を効率的にサーチすることができる。このことは、アクセス端末が、その近傍にあるセクタを識別し、それらの送信を復調するのを助けてもよく、これはまた、短い識別子によってスクランブルされていてもよい。
【０００６】
一般的に、短い識別子に対して割り振られている空間は、比較的制限されている。結果的に、隣接アクセスポイントの通信の間のいわゆる衝突を回避するために、ネットワークオペレーターは、比較的互いに近くにあるアクセスポイントによって、同一の短い識別子が、確実に使用されないようにすることが望ましい。このことは、従来の計画されたネットワークにおいては実行できるが、計画されていないネットワーク、または、アドホックネットワーク（例えば、多くの小さいカバレッジアクセスポイントを用いるネットワーク）においては実行できないかもしれない。アドホックネットワークにおいて、（衝突が、実際には、全体として回避可能である場合であっても、）ネットワークオペレーター、または、顧客は、確実に衝突が決して発生しないようにするために、どの短い識別子を使用すべきかを知ることなく、アクセスポイントを配備するかもしれない。したがって、ワイヤレスネットワークにおける衝突を検出して、解決するための効率的な技術に対する需要がある。
【概要】
【０００７】
以下で開示する例示的な観点の概要を述べる。ここでの用語、観点に対する何らかの参照は、本開示の１つ以上の観点を指してもよい。
【０００８】
いくつかの観点では、本開示は、ワイヤレスネットワークにおいて衝突を検出することと、衝突を解決することとに関連する。いくつかの観点では、アクセスポイントが、（例えば、擬似ランダムな方法で、または、他の何らかの方法で）信号を送信して、別のノードが、アクセスポイントの間の衝突を識別できるようにしてもよい。例えば、いくつかの実現では、各アクセスポイントは、１組のリソースのうちから、あるリソースを選択してもよく（例えば、擬似ランダムに選択してもよく）、選択されたリソース上で、そのアクセスポイントの一意的な識別子（例えば、長い識別子）の表示を送信してもよい。いくつかの実現では、各アクセスポイントは、ビットを選択してもよく（例えば、擬似ランダムに選択してもよく）、そのビットを、そのアクセスポイントの再使用された識別子（例えば、短い識別子）に対して付加してもよく、アクセスポイントによって送信された信号をチャネル化するのに使用されるチャネル化パラメータを提供してもよい。いくつかの観点では、所定のアクセスポイントによる選択は、そのアクセスポイントに割り当てられている一意的な識別子に基づいていてもよい。
【０００９】
別のノード（例えば、アクセス端末）が、衝突を識別するイベントにおいて、この衝突を識別しているノードは、衝突しているアクセスポイントに、少なくとも１つのリソース上での送信を停止させようとして、衝突の表示を送信してもよい。いくつかの観点では、衝突識別ノードは、このような表示を、衝突報告のために専用のチャネルを通して送信してもよい。
【００１０】
いったん、ある衝突しているアクセスポイントが、指定されたリソース上での送信を停止すると、衝突識別ノードは、他の衝突しているアクセスポイントと通信してもよい。衝突識別ノードは、これによって、別の衝突しているアクセスポイントの存在および識別について、アクセスポイントに通知してもよい。次に、これらのアクセスポイントが、（例えば、バックホールを介して）互いに通信して、衝突を解決してもよい。
【図面の簡単な説明】
【００１１】
本開示のこれらの例示的な観点と、他の例示的な観点とを、詳細な説明、添付の特許請求の範囲、および、添付の図面において説明する。
【００１２】
共通の慣習にしたがうと、図面において図示したさまざまな特徴は、一定の縮尺で描かれていないかもしれない。したがって、さまざまな特徴の寸法は、明瞭さのために、任意に拡大または減少されているかもしれない。さらに、いくつかの図面は、明瞭さのために、単純化されているかもしれない。このように、図面は、所定の装置（例えば、デバイス）のあらゆるコンポーネント、または、あらゆる方法を表示していないかもしれない。最後に、同じ参照番号は、明細書および図面全体を通して、同じ特徴を示すのに使用されてもよい。
【図１】図１は、衝突を識別し、解決するように適応されているワイヤレス通信システムのいくつかの例示的な観点の単純化されたブロック図である。
【図２Ａ】図２Ａは、衝突を識別し、解決するために実行されてもよい動作のいくつかの例示的な観点のフローチャートである。
【図２Ｂ】図２Ｂは、衝突を識別し、解決するために実行されてもよい動作のいくつかの例示的な観点のフローチャートである。
【図３】図３は、アクセスポイントが、異なるリソースによって送信するときに、衝突を識別するために実行されてもよい動作のいくつかの例示的な観点のフローチャートである。
【図４】図４は、異なるリソースによる送信に基づいて、衝突を識別することに関連して用いられてもよいワイヤレスノードのコンポーネントのいくつかの例示的な観点の単純化されたブロック図である。
【図５】図５は、アクセスポイントが、異なるチャネル化を使用して送信するときに、衝突を識別するために実行されてもよい動作のいくつかの例示的な観点のフローチャートである。
【図６】図６は、異なるチャネル化を使用した送信に基づいて、衝突を識別することに関連して用いられてもよいワイヤレスノードのコンポーネントのいくつかの例示的な観点の単純化されたブロック図である。
【図７】図７は、ワイヤレス通信のための例示的なカバレッジエリアを図示する単純化された図である。
【図８】図８は、例示的なワイヤレス通信システムの単純化された図である。
【図９】図９は、フェムトノードを含む、例示的なワイヤレス通信システムの単純化された図である。
【図１０】図１０は、通信コンポーネントのいくつかの例示的な観点の単純化されたブロック図である。
【図１１】図１１は、ここで教示するように、衝突の緩和をもたらすように構成された装置のいくつかの例示的な観点の単純化されたブロック図である。
【図１２】図１２は、ここで教示するように、衝突の緩和をもたらすように構成された装置のいくつかの例示的な観点の単純化されたブロック図である。
【詳細な説明】
【００１３】
本開示のさまざまな観点を以下で説明する。ここでの教示はさまざまな形態で実現されてもよいことや、ここで開示されている何らかの特定の構造、機能、または、その両方は単に例示的なものに過ぎないことが明らかになるだろう。ここでの教示に基づいて、当業者は、ここで開示する観点が、何らかの他の観点から独立して実現されてもよいことや、２つ以上のこれらの観点が、さまざまな方法で結合されてもよいことを理解するだろう。例えば、ここで述べる何らかのいくつかの観点を使用して、装置を実現してもよく、あるいは、方法を実行してもよい。さらに、ここで述べる１つ以上の観点に加えて、または、ここで述べる１つ以上の観点以外の、他の構造、機能、または、構造と機能を使用して、このような装置を実現してもよく、あるいは、このような方法を実行してもよい。さらに、観点は、特許請求の範囲の少なくとも１つの構成要素を含んでもよい。
【００１４】
図１は、例示的な通信システム１００（例えば、通信ネットワークの一部）中のいくつかのノードを図示する。例示的な目的で、本開示のさまざまな観点を、互いに通信する、１つ以上のアクセス端末およびアクセスポイントの文脈で説明することとする。しかしながら、ここでの教示を、他の用語を使用して参照されている、他の類似の装置、または、他のタイプの装置に適用してもよいことを理解すべきである。例えば、さまざまな実現において、アクセスポイントは、基地局として呼ばれてもよく、基地局として実現されてもよく、アクセス端末は、ユーザ装置として呼ばれてもよく、ユーザ装置として実現されてもよい、等である。
【００１５】
システム１００におけるアクセスポイント１０２および１０４は、関係する地理的エリア内に駐在していてもよい１つ以上のアクセス端末（例えば、アクセス端末１０６）、または、関係する地理的エリア全体にわたってローミングしていてもよい、１つ以上のアクセス端末に対して、１つ以上のサービス（例えば、ネットワーク接続）を提供する。さらに、アクセス端末１０２および１０４のそれぞれは、（示していない）１つ以上のネットワークノードと通信して、ワイドエリアネットワーク接続を容易にしてもよい。このようなネットワークノードは、例えば、１つ以上の無線および／またはコアネットワークエンティティ（例えば、モビリティ管理エンティティ、セッション基準ネットワーク制御装置、または、何らかの他の適切なネットワークエンティティ）のような、さまざまな形態をとってもよい。
【００１６】
図１の説明、および、以下の説明では、ネットワーク中のアクセスポイントが、信号を（例えば、擬似ランダムな方法で、または、他の何らかの方法で）発生させて、アクセスポイントの間の衝突の検出を可能にするさまざまなスキームを記述する。例えば、アクセスポイント１０２および１０４が、チャネル化のためのベース（例えば、シード）として、同一の識別子を使用するときに、衝突が発生する。この状況は、アクセスポイント１０２および１０４が、この目的のために比較的短いアクセスポイント識別子を使用するケースにおいて発生するかもしれない。このようなケースでは、アクセスポイントの数が、利用可能な短い識別子の数を上回るかもしれないので、短い識別子が、システム内で再使用されているかもしれない。いくつかの実現では、これらの再使用された識別子は、ＰＣＩ、パイロットＰＮ、または、アクセスポイントに割り当てられる、他の何らかのタイプの識別子の形態を取ってもよい。図１の例において、再使用された識別子１０８および１１０を、それぞれ、アクセスポイント１０２および１０４に対して割り当てられているとして図示した。
【００１７】
従来の慣例にしたがうと、より長い識別子もまた、アクセスポイント１０２および１０４に対して割り当てられてもよい。例えば、より長い識別子を使用して、ネットワーク（例えば、オペレーターのネットワーク、グローバルネットワーク等）中の各アクセスポイントを一意的に識別してもよい。いくつかの実現では、これらの一意的な識別子は、ＧＣＩ、ＡＮＩＤ、セクタＩＤ、または、アクセスポイントに割り当てられる、他の何らかのタイプの識別子の形態を取ってもよい。図１の例において、一意的な識別子１１２および１１４を、それぞれ、アクセスポイント１０２および１０４に対して割り当てられているとして図示した。
【００１８】
各アクセスポイントは、信号を発生させる、信号発生器１１６または１１８（例えば、擬似ランダム信号発生器）を含み、別のノードによって、この信号を検出して、アクセスポイント１０２および１０４が、同一の再使用された識別子を使用しているか否かを決定してもよい。例示的な目的で、以下の説明では、アクセス端末１０６が（例えば、送信検出器１２０の動作によって）アクセスポイント１０２および１０４によって送信された信号に基づいて衝突を検出する例を記述する。しかしながら、システム１００中の、他のエンティティ（例えば、他のアクセスポイント）が、このような衝突を検出するように、ここで教示するように構成されていてもよいことを理解すべきである。いくつかの観点では、信号の発生は、対応するアクセスポイントに割り当てられている一意的なアドレスに基づいていてもよい。このようにして、たとえ、アクセスポイント１０２および１０４が、それぞれのチャネル化のためのベースとして、同一の再使用された識別子を使用している場合でさえも、アクセスポイント１０２および１０４は、何らかの時点において、異なる信号を発生させるように保証されていてもよい。いくつかの実現では、ランダムな方法で、または、擬似ランダムな方法で（例えば、対応するアクセスポイントに対して割り当てられている一意的なアドレスに基づいて）信号を発生させて、アクセスポイント１０２および１０４が、何らかの時点において、異なるランダム信号を確実に発生させるようにしてもよい。
【００１９】
アクセス端末１０６の衝突制御装置１２２は、送信検出器１２０によって検出された信号に基づいて、アクセスポイント１０２および１０４に関する衝突を識別してもよい。このケースでは、衝突制御装置１２２は、アクセスポイント１０２および１０４の衝突制御装置１２４および１２６と、それぞれ通信して、衝突を解決してもよい。
【００２０】
図２Ａおよび２Ｂのフローチャートに関連して、例示的な衝突緩和動作をより詳細に説明することにする。便宜的に、図２Ａおよび２Ｂの動作（または、ここで記述するまたは教示する、他の何らかの動作）を、特定のコンポーネント（例えば、図１のシステム１００のコンポーネント、図４のシステム４００のコンポーネント、または、図６のシステム６００のコンポーネント）によって実行されているとして記述してもよい。しかしながら、これらの動作を、他のタイプのコンポーネントによって実行してもよいことや、異なる数のコンポーネントを使用して実行してもよいことを理解すべきである。また、ここで記述する動作のうちの１つ以上は、所定の実現においては用いられなくてもよいことを理解すべきである。
【００２１】
何らかの時点で、ワイヤレスネットワーク中の各アクセスポイント（例えば、ホームｅノードＢ）に対して、一意的な識別子が割り当てられる。上で言及したように、このような識別子は、ＧＣＩ、ＡＮＩＤ、セクタＩＤ、または、他の何らかの識別子を含んでもよい。便宜的に、以下の図２Ａおよび２Ｂの説明において、これらの一意的な識別子をＧＣＩとして呼ぶことにする。ＧＣＩは、さまざまな方法で、アクセスポイントに対して割り当てられてもよい。例えば、操作、管理、および、維持（“ＯＡ＆Ｍ”）ネットワークエンティティ、または、他の何らかの適切なエンティティが、ネットワーク中のアクセスポイントに対してＧＣＩを割り当ててもよい。
【００２２】
さらに、何らかの時点において、各アクセスポイントに対して、再使用された識別子が割り当てられる。上で言及したように、このような識別子は、ＰＣＩ、パイロットＰＮ、または、他の何らかの識別子を含んでもよい。便宜的に、以下の図２Ａおよび２Ｂの説明において、これらの再使用された識別子を、ＰＣＩとして呼ぶことにする。ＰＣＩは、さまざまな方法で、アクセスポイントに対して割り当てられてもよい。例えば、アクセスポイントが設置されるときに、（例えば、自主的に、または、ネットワークノードによって、）アクセスポイントに対して、ＰＣＩが割り当てられてもよいケースもある。アクセスポイントが、（例えば、製造の際に）デフォルトＰＣＩを割り当てられてもよいケースもある。
【００２３】
アクセスポイントが、（例えば、近傍のアクセスポイントによる送信を監視することによって、）近隣者発見を実行して、その隣接アクセスポイントによって使用されているＰＣＩとコンフリクトしないＰＣＩを選択しようと試みてもよいケースもある。しかしながら、このようなスキームが、常に衝突を回避するわけではないケースもあることを理解すべきである。例えば、アクセスポイントは、隣接アクセスポイントをヒアリングできないかもしれないが、アクセス端末が、これらのアクセスポイントの両方をヒアリングできるかもしれない。さらに、新しいアクセスポイントが設置されるときに、アクセスポイントが、互いにまだ発見しあっていない場合、近傍のアクセスポイントとの衝突が発生するかもしれない。
【００２４】
図２Ａのブロック２０２によって示すように、アクセスポイントが、（例えば、パイロットを送信することに関連して）信号を発生させようとするとき、ＧＣＩが、信号発生器に対するシードとして提供されてもよい。例えば、図１において、アクセスポイント１０２および１０４は、それぞれ、識別子プロバイダ１２８および１３０を含んでもよく、これらは、それぞれ、（例えば、データメモリから）ＧＣＩ  １１２および１１４を取得して、信号発生器１１６および１１８（例えば、擬似ランダム信号発生器）に対してＧＣＩを提供するように構成されている。
【００２５】
ブロック２０４によって示すように、各アクセスポイントは、次に、ＧＣＩに基づいて、信号を発生させてもよい。図３および４に関連して、より詳細に説明することになるように、いくつかの実現では、関係するアクセスポイントがそのアクセスポイントのＧＣＩの表示を送信するリソースを、各信号発生器が選択してもよい。図５および６に関連して、より詳細に説明することになるように、いくつかの実現では、各信号発生器が、そのアクセスポイントのＰＣＩに対して付加されることになる１つ以上のビットを選択して、アクセスポイントによって送信された信号をチャネル化するのに使用されるチャネル化パラメータを提供してもよい。
【００２６】
ブロック２０６によって示すように、アクセス端末１０６（例えば、送信検出器１２０）は、近傍アクセスポイント（例えば、アクセスポイント１０２および１０４）による送信を定期的に監視する。例えば、アクセス端末１０６は、パイロット信号および／または他のタイプの信号を監視してもよい。上で言及したように、これらの信号は、アクセスポイントのＰＣＩに基づいてチャネル化されていてもよい。したがって、アクセス端末１０６は、これらのアクセスポイントのそれぞれによって使用されているＰＣＩを決定してもよい。以下により詳細に記述するように、アクセスポイントが、そのアクセスポイントに割り当てられているＰＣＩに基づいて、信号をチャネル化してもよい実現もある一方で、アクセスポイントが、割り当てられたＰＣＩプラス１つ以上の規定されたビットに基づいて、信号をチャネル化してもよい、他の実現もある。
【００２７】
ブロック２０８によって示すように、いくつかの近傍アクセスポイントが、同一のＰＣＩを使用しているイベントにおいて、アクセス端末１０６（例えば、衝突制御装置１２２）が、ブロック２０６において検出された送信に基づいて、衝突を識別してもよい。図３および４に関連して、より詳細に説明することになるように、このことが、異なるリソースを介して受け取られる、異なるＧＣＩを決定することを含んでいてもよい実現もある。図５および６に関連して、より詳細に説明することになるように、このことが、所定の信号時間期間（例えば、指定されたパイロット時間期間）の間に、共通のＰＣＩに基づいてチャネル化されているが、異なる付加ビットに基づいてチャネル化されている信号が受信されたことを決定することを含んでいてもよい実現もある。
【００２８】
ＰＣＩ衝突が識別されるイベントにおいて、アクセス端末は、アクセスポイントのうちの１つにトーキングしようと試みて、アクセスポイントに対して、ＰＣＩ衝突について知らせてもよい。しかしながら、衝突しているアクセスポイントのすべてが、同一のＰＣＩを使用しているので、アクセス端末は、相互干渉のせいで、アクセスポイントからのダウンリンクチャネルを受信できないかもしれない。同様に、アクセス端末が、１つのアクセスポイントに対して信号を送る場合、（例えば、信号が共通のＰＣＩを使用してスクランブル化されているかもしれないので）すべてのアクセスポイントがその信号に対して応答するかもしれない。
【００２９】
図２Ｂのブロック２１０によって示すように、（例えば、衝突制御装置１２２の動作によって）アクセス端末１０６が、したがって、衝突の表示を（例えば、１つ以上のリソース上で）送信して、アクセスポイントに送信を停止させるように試みてもよい。ここで、衝突報告のために予約された、１つ以上の専用チャネルを用いてもよい。例えば、各アクセスポイントが、衝突を報告するための専用チャネルを提供してもよい。これらのチャネルのそれぞれは、対応するアクセスポイントに対するＰＣＩを使用して、チャネル化されている。このようにして、アクセス端末１０６は、これらのチャネルのうちの１つを使用して、アクセスポイントのうちの１つにメッセージを送って、送信を停止するようにアクセスポイントに要求してもよい。
【００３０】
いくつかの観点では、このようなメッセージは、アクセスポイントの識別子を含んでいてもよい。例えば、メッセージは、アクセスポイントのＧＣＩ、ＧＣＩの（例えば、ハッシュ）関数、最後の送信のチャネル化のためにこのアクセスポイントによって使用された、（ＰＣＩに付加された）ビットの表示、または、他の何らかの適切な識別子を含んでもよい。
【００３１】
ブロック２１２によって示すように、ブロック２１０において送信された表示を受信した際に、アクセスポイントは、少なくとも１つのリソース上での送信を停止して、アクセス端末が、共通ＰＣＩを使用した通信を確立できるようにする。例えば、図１のアクセスポイント１０２が衝突の表示を受信する場合、衝突制御装置１２４は、あるチャネル、フレーム、ＴＤＭ時間スロット、ＦＤＭ周波数等上での、アクセスポイント１０２による送信を一時的に制限してもよい。
【００３２】
ブロック２１４によって示すように、いったんアクセスポイントが、指定されたリソース上での送信を停止すると、アクセス端末は、別のアクセスポイントに対して、メッセージを送って、衝突について、また、コンフリクトしているアクセスポイントの識別子について、そのアクセスポイントに知らせてもよい。例えば、図１の衝突制御装置１２２は、アクセスポイント１０２の識別子（例えば、ＧＣＩ）を、アクセスポイント１０４の衝突制御装置１２６に対して送ってもよい。代わりに、衝突制御装置１２２は、アクセスポイント１０４を介して、アクセスポイント１０２に対するトンネルを確立してもよく、アクセスポイント１０４の識別子（例えば、ＧＣＩ）を、アクセスポイント１０２の衝突制御装置１２４に対して送ってもよい。
【００３３】
ブロック２１６によって示すように、ブロック２１２において送信された表示を受信する際に、アクセスポイントは、コンフリクトしているアクセスポイントとの通信を確立して、衝突を解決してもよい。例えば、（例えば、衝突制御装置１２４および１２６の動作によって）アクセスポイント１０２および１０４は、アクセスポイント１０２および１０４が、異なるＰＣＩを使用するように同意するように、（例えば、図１には示していないが、１つ以上のネットワークノードを通して確立された）バックホールを介して交渉してもよい。アクセスポイントが、アクセス端末報告、または、他の何らかの適切な通信メカニズムの使用を通して、衝突を解決してもよい実現もある。
【００３４】
ここで、図３および４を参照して、アクセスポイントが異なるリソースを介して信号を送信するスキームに関連する、追加的な詳細をここで記述する。図３は、このようなスキームにおいて実行されてもよい、いくつかの動作を説明する。図解的な目的で、同一のパイロットＰＮを使用した、２つのアクセスポイントからもたらされる衝突を例として説明することにする。
【００３５】
図４は、このような機能を提供するために、アクセスポイント４０２、および、アクセス端末４０４のようなノードにおいて用いられてもよいいくつかのコンポーネントを記述する。記述されたコンポーネントはまた、通信システム中の、他のノードへと組み込まれてもよい。例えば、システム中の、他のノードは、同様の機能を提供するために、アクセスポイント４０２およびアクセス端末４０４に対して記述したものに類似したコンポーネントを含んでいてもよい。所定のノードは、１つ以上の記述したコンポーネントを含んでもよい。例えば、ノードは、そのノードが複数の周波数上で動作することを可能にし、および／または、異なる技術を介して通信することを可能にする、複数のトランシーバコンポーネントを含んでもよい。
【００３６】
図４に示したように、アクセスポイント４０２とアクセス端末４０４は、互いに通信するための、および、他のノードと通信するための、それぞれのトランシーバ４０６および４０８を含んでもよい。トランシーバ４０６は、信号（例えば、メッセージ）を送る送信機４１０、信号を受信する受信機４１２、および、信号を送受信するのに使用されるチャネル化を制御するチャネル化制御装置４１４を含む。同様に、トランシーバ４０８は、信号（例えば、メッセージ）を送る送信機４１６、信号を受信する受信機４１８、および、信号を送受信するのに使用されるチャネル化を制御するチャネル化制御装置４２０を含む。
【００３７】
アクセスポイント４０２およびアクセス端末４０４は、ここで教示するような衝突緩和動作に関連して使用されてもよい、他のコンポーネントを含む。例えば、アクセスポイント４０２およびアクセス端末４０４は、衝突関連の動作と、他のノードとの通信（例えば、メッセージ／表示を送受信すること）を管理し、他の関連するここで教示する機能を提供する、衝突制御装置４２２および４２４をそれぞれ含む。
【００３８】
いくつかの観点において、図４のコンポーネントは、図１に関連して上で記述したコンポーネントに対応していてもよい。例えば、衝突制御装置４２２および４２４は、図１の衝突制御装置に対応していてもよい。一意的なＩＤ４２６と、再使用されたＩＤ４２８とは、それぞれ、一意的なＩＤ４２６と、再使用されたＩＤ４２８とに対応していてもよい。また、図１の信号発生器１１６は、番号発生器４３０（例えば、擬似ランダム番号発生器）、リソース選択器４３２、および、トランシーバ４０６の一部に対応していてもよい。送信検出器１２０は、トランシーバ４０８の一部に対応していてもよい。アクセスポイント４０２およびアクセス端末４０４の、他の観点を以下に記述する。
【００３９】
ここで、図３の動作を参照して、ブロック３０２によって、表現されるように、アクセスポイント４０２が（例えば、パイロットチャネル上でパイロットを送信することに関連して）信号を発生させるとき、アクセスポイント４０２は、一意的なＩＤ４２６を使用して、アクセスポイント４０２の識別子を送信するための１組のリソースのうちから、あるリソースを選択する。例えば、番号発生器４３０による番号出力を、リソース選択器４３２によって使用してリソースを選択するように、一意的なＩＤ４２６を、番号発生器４３０に対するシードとして使用してもよい。上で言及したように、アクセスポイントが擬似ランダム信号を発生させてもよい実現もある。アクセスポイント４０２が、アクセスポイント４０２の識別子を送信するためのリソースを擬似ランダムに選択してもよいケースもある。例えば、リソース選択器４３２に対して擬似ランダム番号を提供する擬似ランダム番号発生器に対して、一意的なＩＤ４２６が提供されてもよい。
【００４０】
特定の例として、２つの物理的（ＰＨＹ）フレームを通して送信される、低再使用プリアンブル（“ＬＲＰ”）を用いてもよい実現もある。何らかの所定のアクセスポイントが、２つのＬＲＰフレームのうちの１つにおいて、１つのサブバンド（例えば、１．２５ＭＨｚ帯域幅）を選ぶ。プリアンブルの低再使用性質は、非常に異なる受信信号強度を持つアクセスポイントを、アクセス端末が確実に見分けられるようにしてもよい。このようなケースでは、各アクセスポイントは、何らかの予め定められたＬＲＰインスタンスにおいて、チャネル（例えば、ＡＮＩＤチャネル）を送信してもよい。このようにして、各アクセスポイントは、アクセス端末が衝突（例えば、パイロットＰＮ衝突）を検出することを可能にするチャネルを提供してもよい。ここで、ブロック３０２において、その中でチャネルが送信されるＰＨＹフレームが、ランダムに、擬似ランダムに、または、例えば、一意的な識別子の関数（例えば、ＡＮＩＤのハッシュ）に基づいた、他の方法で選ばれてもよい。このようにして、何らかの時点において、所定のアクセスポイントが、第１のフレームを選択し、他の時点において、そのアクセスポイントが第２のフレームを選択する。システム中の他のアクセスポイントは、同様の動作を実行することになる。したがって、２つのアクセスポイントが同一のパイロットＰＮを使用するイベントにおいて、少なくとも何らかの時点において、これらのアクセスポイントは、それらのＡＮＩＤチャネルに対して異なるリソースを選択することになる。
【００４１】
ブロック３０４によって示したように、アクセスポイント４０２が、次に、選択されたリソースを介して、一意的な識別子の表示を送信する。上の例を続けると、アクセスポイント４０２は、そのアクセスポイントの一意的な識別子（例えば、完全なセクタＩＤ）、または、選択されたフレーム上で、チャネルを介して識別子の明白な解決を可能にするのに十分なビットの識別子を、送信してもよい。ここで、送信された信号は、再使用されたＩＤ４２８（例えば、パイロットＰＮ）に基づいてチャネル化されてもよい。いくつかの観点では、チャネル化は、１つ以上の時間ホッピング、スクランブリング、または、エラー訂正（例えば、ＣＲＣ演算）に関連していてもよい。例えば、チャネル変調とスクランブリングは、パイロットＰＮに依拠してもよい。さらに、パイロットＰＮに基づいて、そのフレーム内で、チャネルが送信されるサブキャリアを選んでもよい。
【００４２】
ブロック３０６によって示すように、アクセス端末４０４は、上で述べたようなアクセスポイントからの信号を定期的に監視する。このケースでは、アクセス端末４０４が、複数のリソース（例えば、異なるフレーム）上で、所定の再使用された識別子（例えば、パイロットＰＮ）を使用してチャネル化された信号を監視してもよい。図４の例において、このことは、検索されることになるチャネル化を選択するチャネル化選択器４３４、チェックされることになるリソースを識別するリソース選択器４３６、および、トランシーバ４０８の協力によって達成されてもよい。
【００４３】
ブロック３０８によって示すように、いずれかのリソース上で信号を検出する（例えば、アクセス端末４０４が、ＬＲＰフレームのいずれかにおいて、パイロットＰＮを検出する）際に、アクセス端末４０４は、各リソース上で信号をデコードしようと試みる。上の例を続けると、アクセスポイント４０２は、所定のパイロットＰＮを使用して、第１のＰＨＹフレーム上でＡＮＩＤチャネルをデコードしようと試みてもよく、第２のＰＨＹフレーム上でＡＮＩＤチャネルをデコードしようと試みてもよい。
【００４４】
ブロック３１０によって示されるように、１つだけのリソース上での信号がデコードされる（例えば、ＡＮＩＤチャネルが、１つだけのＰＨＹフレームでデコードされる）イベントにおいて、何の衝突も表示されないので、動作のフローは、ブロック３１２に進む。このケースでは、アクセス端末は、（例えば、所定のアクセスポイントを識別するために）通常の方法で、受信信号を処理してもよい。
【００４５】
対照的に、両方のリソース（例えば、第１および第２のＰＨＹフレーム）上での信号が、デコードされるイベントにおいて、動作フローは、ブロック３１４に進み、これによって、アクセスポイント（例えば、衝突識別器４３８）が、衝突を検出する。例えば、衝突識別子４３８は、たとえ、両方の受信信号が、同一のパイロットＰＮに基づいているとしても、異なる一意的な識別子（例えば、ＡＮＩＤ）が、異なるＰＨＹフレーム中で受信されたことを決定してもよい。このケースにおいて、メッセージング制御装置４４０は、トランシーバ４０８と協力して、（例えば、図２に関連して、上に記述した専用衝突報告アップリンクチャネルを使用して、）アクセスポイントに対して、衝突について知らせてもよい。
【００４６】
ここで、図５および６を参照して、各アクセスポイントが、ビットを選択（例えば、擬似ランダムに選択）して、そのアクセスポイントの再使用された識別子（例えばＰＣＩ）に対して、そのビットを付加し、そのアクセスポイントによって送信される信号をチャネル化するのに使用されるチャネル化パラメータを提供するスキームに関連するさらなる詳細をここで記述する。図５は、このようなスキームにおいて実行されてもよい、いくつかの動作を記述する。図解の目的で、同一のＰＣＩを使用している２つのアクセスポイントによって衝突がもたらされる例を記述することにする。
【００４７】
図６は、アクセスポイント６０２およびアクセス端末６０４のようなノードにおいて用いられて、上記の機能を提供してもよい、いくつかのコンポーネントを記述する。上記のように、記述したコンポーネントはまた、通信システム中の、他のノードへと組み込まれていてもよく、所定のノードは、１つ以上の記述したコンポーネントのうちの１つ以上を含んでもよい。
【００４８】
アクセスポイント６０２およびアクセス端末６０４は、互いに通信するために、および、他のノードと通信するために、それぞれ、トランシーバ６０６および６０８を含む。トランシーバ６０６は、送信機６１０、受信機６１２、および、チャネル化制御装置６１４を含み、トランシーバ６０８は、送信機６１６、受信機６１８、および、チャネル化制御装置６２０を含む。
【００４９】
上記のように、アクセスポイント６０２およびアクセス端末６０４は、ここで教示するような衝突緩和動作に関連して使用されてもよい、他のコンポーネントを含む。例えば、アクセスポイント６０２およびアクセス端末６０４は、衝突関連の動作と、他のノードとの通信（例えば、メッセージ／表示の送受信）とを管理し、ここで教示するような、他の関連する機能を提供するための衝突制御装置６２２および６２４をそれぞれ含む。
【００５０】
いくつかの観点では、図６のコンポーネントはまた、図１に関連して上に記述したコンポーネントに対応していてもよい。例えば、衝突制御装置６２２および６２４は、図１の衝突制御装置に対応していてもよい。一意的なＩＤ６２６および再使用されたＩＤ６２８は、それぞれ、一意的なＩＤ１１２および再使用されたＩＤ１０８に対応していてもよい。信号発生器１１６は、番号発生器６３０（例えば、擬似ランダム番号発生器）、チャネル化パラメータ選択器６３２、および、トランシーバ６０６の一部に対応していてもよい。送信検出器１２０は、トランシーバ６０８の一部に対応していてもよい。アクセスポイント６０２およびアクセス端末６０４の、他の観点を、以下で説明する。
【００５１】
ここで図５の動作を参照して、ブロック５０２によって示されるように、アクセスポイント６０２が、（例えば、パイロットチャネル上でパイロットを送信することに関連して）信号を発生させるとき、アクセスポイント６０２は、一意的なＩＤ６２６を使用して、ＰＣＩに付加するためのビットを選択して、チャネル化パラメータを提供してもよい。例えば、番号発生器６３０によるビット値出力が、チャネル化パラメータ選択器６３２によって、再使用されたＩＤ６２８に対して付加されるように、一意的なＩＤ６２６を、番号発生器６３０に対するシードとして使用してもよい（ブロック５０４）。上で述べたように、アクセスポイントが擬似ランダム信号を発生させてもよい実現もある。このようなケースでは、アクセスポイント６０２は、ＰＣＩに付加されることになるビットを擬似ランダムに選択して、チャネル化パラメータを提供してもよい。例えば、一意的なＩＤ６２６を、チャネル化パラメータ選択器６３２に対して擬似ランダム番号を提供する番号発生器６３０に提供してもよい。
【００５２】
上で記述したものと同様な方法で、付加されるビットをランダムに、擬似ランダムに、または、例えば、一意的な識別子（例えば、ＧＣＩ）のハッシュに基づいた、他の方法で選んでもよい。このようにして、何らかの時点において、所定のアクセスポイントが、ある値のビット（例えば、０）を選択し、他の時点において、そのアクセスポイントが、他の値のビット（例えば、１）を選択する。システム中の他のアクセスポイントも、同様の動作を実行することになる。このようにして、２つのアクセスポイントが同一のＰＣＩを使用するイベントにおいて、少なくとも何らかの時間において、これらのアクセスポイントは、それらのチャネル化パラメータに対する異なるビットを選択することになる。
【００５３】
ブロック５０６によって示したように、アクセスポイント６０２は、次に、規定されたチャネル化パラメータを使用してチャネル化された信号を送信する。例えば、アクセスポイントによって送信されたパイロット信号は、この方法でチャネル化されてもよい。
【００５４】
ブロック５０８によって示したように、アクセス端末６０４は、上で述べたようなアクセスポイントからの信号を定期的に監視する。このケースでは、アクセス端末６０４は、異なる値の付加されたビットを有する、所定のＰＣＩに基づいてチャネル化された信号を観察してもよい。図６の例では、このことは、サーチされることになるチャネル化を選択するチャネル化選択器６３４と、トランシーバ６０８との協調によって達成されてもよい。
【００５５】
ブロック５１０によって示したように、いずれかのチャネル化に関係する信号の検出の際に、アクセス端末６０４は、それぞれのチャネル化に関係する信号のデコードを試行する。例えば、アクセスポイント６０２は、１つの受信信号のデコードを試行する際に、所定のＰＣＩプラス“０”ビットを使用してもよく、別の受信信号のデコードを試行する際に、その同一のＰＣＩプラス“１”ビットを使用してもよい。
【００５６】
ブロック５１２によって示したように、所定のＰＣＩに対する１つだけのチャネル化での信号がデコードされるイベントにおいては、何の衝突も示されないので、動作フローは、ブロック５１４に進む。このケースでは、アクセス端末は、受信信号を通常の方法で処理して（例えば、所定のアクセスポイントを識別して）もよい。
【００５７】
対照的に、信号が、所定のＰＣＩに対する（例えば、付加された“０”と、付加された“１”に対する）両方のチャネル化での信号が、デコードされるイベントにおいては、動作フローはブロック５１６に進み、ここで、アクセスポイント（例えば、衝突識別器６３６）は、衝突を検出する。このケースでは、メッセージング制御装置６３８が、トランシーバ６０８と協調して、（例えば、図２に関連して、上で述べたように、専用衝突報告アップリンクチャネルを使用して、）アクセスポイントに対して、衝突について知らせてもよい。
【００５８】
ここでの教示は、さまざまな方法で実現されてもよいことを理解すべきである。例えば、リソースとチャネル化パラメータを変更することによって、衝突緩和をもたらしてもよい実現もある。また、ランダム、擬似ランダム、または、他のタイプの変更を、さまざまな実現において用いてもよい。チャネル化パラメータ中のビットを変えること以外の技術に関わる方法で、一意的な識別子（例えば、ＧＣＩ）に基づいた波形（例えば、信号）における変更の使用を通して、衝突緩和がもたらされてもよい実現もある。
【００５９】
いくつかの観点では、マクロカバレッジ（例えば、マクロセルネットワークまたはワイドエリアネットワーク−ＷＬＡＮとして一般的に呼ばれる、３Ｇネットワークのようなワイドエリアセルラネットワーク）や、より小さいカバレッジ（例えば、ローカルエリアネットワーク−ＬＡＮとして一般的に呼ばれる、居住者ベースの、または、建物ベースのネットワーク環境）を含む、混在配置において、ここで教示するような衝突軽減スキームを使用してもよい。ここで、アクセス端末（“ＡＴ”）がこのようなネットワークを通して移動するにつれて、アクセス端末は、あるロケーションにおいて、マクロカバレッジを提供するアクセスポイントによって担当されてもよい一方で、アクセス端末は、他のロケーションにおいて、より小さいエリアのカバレッジを提供するアクセスポイントによって担当されてもよい。いくつかの観点では、インクリメンタルな容量増加、建物内のカバレッジ、および、異なるサービスをもたらすために、より小さいエリアのカバレッジノードを使用してもよく、これらのすべてはより堅牢なユーザ経験へとつながる。
【００６０】
比較的広いエリアにわたってカバレッジを提供するノードは、マクロノードとして呼ばれてもよい一方で、比較的小さいエリア（例えば、住宅）にわたってカバレッジを提供するノードは、フェムトノードとして呼ばれてもよい。ここでの教示は、他のタイプのカバレッジエリアに関係するノードに対しても適用可能であることを理解すべきである。例えば、ピコノードは、マクロエリアよりも小さく、フェムトエリアより大きいエリアにわたってカバレッジエリア（例えば、商業ビルディング内のカバレッジ）を提供してもよい。さまざまな適用において、マクロノード、フェムトノード、または、他のアクセスポイントタイプのノードを指すのに、他の用語を使用してもよい。例えば、マクロノードは、アクセスノード、基地局、アクセスポイント、ｅノードＢ、マクロセル等として構成されてもよく、または、アクセスノード、基地局、アクセスポイント、ｅノードＢ、マクロセル等として呼ばれてもよい。また、フェムトノードは、ホームノードＢ、ホームｅノードＢ、アクセスポイント基地局、フェムトセル等としてとして構成されてもよく、または、ホームノードＢ、ホームｅノードＢ、アクセスポイント基地局、フェムトセル等として呼ばれてもよい。ノードが１つ以上のセルまたはセクタに関係付けられていてもよい（たとえば、分割されていてもよい）実現もある。マクロノード、フェムトノード、または、ピコノードに関係付けられているセルまたはセクタを、それぞれ、マクロセル、フェムトセル、または、ピコセルと呼んでもよい。どのようにフェムトノードがネットワーク中で配備されてもよいかについての簡潔化した例を図７に提供した。
【００６１】
図７は、いくつかのトラッキングエリア７０２（または、ルーティングエリア、または、ロケーションエリア）が規定されるカバレッジマップ７００の例を図示し、これらのそれぞれは、いくつかのマクロカバレッジエリア７０４を含む。ここで、トラッキングエリア７０２Ａ、７０２Ｂ、および、７０２Ｃが、太線で描画され、マクロカバレッジエリア７０４が、六角形によって表現されている。トラッキングエリア７０２はまた、フェムトカバレッジエリア７０６も含む。この例では、フェムトカバレッジエリア７０６（例えば、フェムトカバレッジエリア７０６Ｃ）のそれぞれが、マクロカバレッジエリア７０４（例えば、マクロカバレッジエリア７０４Ｂ）内で示されている。しかしながら、フェムトカバレッジエリア７０６は、マクロカバレッジエリア７０４の部分的に内部にあってもよく、マクロカバレッジエリア７０４の外部にあってもよいことを理解すべきである。また、（示していない）１つ以上のピコカバレッジエリアが、１つ以上のトラッキングエリア７０２またはマクロカバレッジエリア７０４内で規定されてもよい。マクロカバレッジエリア内、または、隣接マクロセルの境界にまたがってのいずれかで、マクロカバレッジエリア内に複数のフェムトカバレッジエリアがあってもよいことを理解すべきである。
【００６２】
図８は、例えば、各セルが対応するアクセスポイント８０４（例えば、アクセスポイント８０４Ａ−８０４Ｇ）によってサービスされている、セル８０２Ａ−８０２Ｇのような複数のセルを含むワイヤレス通信システム８００のいくつかの観点を図示する。したがって、マクロセル８０２は、図７のマクロカバレッジエリア７０４に対応していてもよい。図８に示したように、アクセス端末８０６（例えば、アクセス端末８０６Ａ−８０６Ｌ）は、時間のあいだに、システム全体にわたって、さまざまなロケーションにおいて分散していてもよい。各アクセス端末８０６は、例えば、アクセス端末８０６がアクティブであるか否か、および、ソフトハンドオフしているか否かに依拠して、所定の瞬間において、フォワードリンク（“ＦＬ”）および／またはリバースリンク（“ＲＬ”）上で、１つ以上のアクセスポイント８０４と通信してもよい。ワイヤレス通信システム８００は、広い地理的エリアにわたってサービスを提供してもよい。例えば、マクロセル８０２Ａ−８０２Ｇは、近所の数ブロックをカバーしてもよく、または、田舎の環境においては、数平方マイルをカバーしてもよい。
【００６３】
図９は、ネットワーク環境（例えば、システム８００）内で、１つ以上のフェムトノードがどのように配備されてよいかを図示するシステム９００の例である。システム９００は、比較的小さいエリアのカバレッジネットワーク環境（例えば、１つ以上のユーザ住宅９３０）中にインストールされている複数のフェムトノード９１０（例えば、フェムトノード９１０Ａおよび９１０Ｂ）を含む。各フェムトノード９１０は、（示していない）ＤＳＬルータ、ケーブルモデム、ワイヤレスリンク、または、他の接続手段を解して、ワイドエリアネットワーク９４０（例えば、インターネット）と、移動体オペレーターコアネットワーク９５０に対して結合されていてもよい。
【００６４】
フェムトノード９１０の所有者は、例えば、３Ｇ移動体サービスのような、移動体オペレーターコアネットワーク９５０を通して提案される、移動体サービスに加入していてもよい。さらに、アクセス端末９２０は、マクロ環境中と、より小さいエリアのカバレッジ（例えば、住居）中との両方のネットワーク環境において動作することができてもよい。言い換えると、アクセス端末９２０の現在のロケーションに依拠して、アクセス端末９２０は、移動体オペレーターコアネットワーク９５０に関係するマクロセルアクセスポイント９６０によって担当されてもよく、または、１組のフェムトノード９１０のうちの何らかの１つ（例えば、対応するユーザ住居９３０内にあるフェムトノード９１０Ａおよび９１０Ｂ）によって担当されてもよい。例えば、加入者が彼の家の外にいるとき、彼は、標準マクロアクセスポイント（例えば、アクセスポイント９６０）によって担当されてもよく、加入者が、彼の家の近くまたは家の内部にいるとき、彼は、フェムトノード（例えば、ノード９１０Ａ）によって担当されてもよい。ここで、フェムトノード９１０には、レガシーアクセス端末９２０との旧版互換性があってもよい。
【００６５】
上で述べたように、ノード（例えば、フェムトノード）は、いくつかの観点で制限されているかもしれない。例えば、所定のフェムトノードは、特定のサービスを、特定のアクセス端末に対してだけ提供できてもよい。いわゆる制限された（すなわち、クローズドな）関係での配備では、所定のアクセス端末は、マクロセル移動体ネットワークと、規定された組のフェムトノード（例えば、対応するユーザ住居９３０内にあるフェムトノード９１０）だけによって担当されてもよい。ノードが、少なくとも１つのノードに対して、少なくとも、シグナリング、データアクセス、登録、ページング、または、サービスのうちの少なくとも１つを提供しないように制限されていてもよい実現もある。
【００６６】
いくつかの観点では、（クローズド加入者グループホームノードＢとしても呼んでもよい）制限されたフェムトノードは、制限された供給の組のアクセス端末に対してサービスを提供するものである。この組は、必要に応じて、一時的に、または、永続的に拡張されてもよい。いくつかの観点では、クローズド加入者グループ（“ＣＳＧ”）は、アクセス端末の共通アクセス制御リストを共有する１組のアクセスポイント（例えば、フェムトノード）として規定されてもよい。ある地域中のすべてのフェムトノード（または、すべての制限されたフェムトノード）が動作するチャネルは、フェムトチャネルとして呼ばれてもよい。
【００６７】
したがって、所定のフェムトノードと、所定のアクセス端末との間で、さまざまな関係が存在してもよい。例えば、アクセス端末の観点から、オープンフェムトノードは、何の制限された関係も有さない（例えば、フェムトノードは、何れのアクセス端末に対してもアクセスを許可する）フェムトノードを指してもよい。制限されたフェムトノードは、何らかの方法で制限されているフェムトノード（例えば、登録および／または関係付けに対して制限されているノード）を指してもよい。ホームフェムトノードは、アクセス端末が、アクセスし、動作することを認証されているフェムトノードを指してもよい（例えば、規定された組の１つ以上のアクセス端末に対する永続的なアクセスが提供される）。ゲストフェムトノードは、アクセス端末が一時的に、アクセスし、動作することを認証されているフェムトノードを指してもよい。エイリアンフェムトノードは、おそらく緊急事態を除いては、アクセス端末が、アクセスすることや、動作することを認証されていないフェムトノードを指してもよい（例えば、９１１コール）。
【００６８】
制限されたフェムトノードの視点から、ホームアクセス端末は、制限されたフェムトノードにアクセスすることを認証されているアクセス端末を指してもよい（例えば、アクセス端末は、フェムトノードに対する永続的なアクセスを有する）。ゲストアクセス端末は、制限されたフェムトノードに対する一時的なアクセスを有する（例えば、期限、使用回数、バイト、接続カウント、または、他の何らかの基準、に基づいて制限されている）アクセス端末を指してもよい。エイリアンアクセス端末は、例えば、９１１コールのような、おそらく緊急事態を除いては、制限されたフェムトノードに対するアクセスを持っていないアクセス端末（例えば、制限されたフェムトノードに登録する信用または認可を持っていないアクセス端末）を指してもよい。
【００６９】
簡潔さのために、ここでの開示は、フェムトノードの文脈で、さまざまな機能を記述する。しかしながら、ピコノードは、より大きいカバレッジエリアに対する同一のまたは類似の機能を提供してもよいことを理解すべきである。例えば、ピコノードは制限されていてもよく、ホームピコノードが、所定のアクセス端末に対して規定されてもよい等である。
【００７０】
ワイヤレス多元接続通信システムは、複数のワイヤレスアクセス端末に対する通信を同時にサポートしてもよい。各端末は、フォワードおよびリバースリンク上での送信を介して、１つ以上のアクセスポイントと通信してもよい。フォワードリンク（または、ダウンリンク）は、端末に対するアクセスポイントからの通信リンクを指し、リバースリンク（または、アップリンク）は、端末からアクセスポイントに対する通信リンクを指す。この通信リンクは、単数入力単数出力システム、複数入力複数出力（“ＭＩＭＯ”）システム、または、他の何らかのタイプのシステムによって確立されてもよい。
【００７１】
ＭＩＭＯシステムは、データ送信のために、複数（ＮT）の送信アンテナおよび複数（ＮR）の受信アンテナを用いる。ＮT個の送信アンテナと、ＮR個の受信アンテナとによって形成されるＭＩＭＯチャネルは、ＮS個の独立したチャネルへと分解されてもよく、これらは、空間的チャネルとしても呼ばれてもよく、ここで、ＮS≦ｍｉｎ｛ＮT，ＮR｝である。ＮS個の独立したチャネルのそれぞれは、次元（dimension）に対応している。ＭＩＭＯシステムは、複数の送受信アンテナが使用されることによって、追加の次元数（dimensionality）が作成される場合、改善された性能（例えば、より高いスループット、および／または、より大きい信頼性）を提供してもよい。
【００７２】
ＭＩＭＯシステムは、時分割二重化（“ＴＤＤ”）、および、周波数分割二重化（“ＦＤＤ”）をサポートしてもよい。ＴＤＤシステムでは、相互依存の原則が、リバースリンクチャネルから、フォワードリンクチャネルの推定を可能にするように、フォワードおよびリバースリンク送信は、同一の周波数エリアのものである。このことは、複数のアンテナがアクセスポイントにおいて利用可能であるときに、アクセスポイントが、フォワードリンク上で、送信ビーム形成利得を抽出することを可能にする。
【００７３】
ここでの教示を、他の少なくとも１つのノードと通信するためにさまざまなコンポーネントを用いるノード（例えば、デバイス）へと組み込んでもよい。図１０は、ノード間の通信を容易にするために用いられてもよい、いくつかの例示的なコンポーネントを示す。特に、図１０は、ＭＩＭＯシステム１０００の、ワイヤレスデバイス１０１０（例えば、アクセスポイント）と、ワイヤレスデバイス１０５０（例えば、アクセス端末）を図示する。デバイス１０１０において、データ源１０１２から送信（“ＴＸ”）データプロセッサ１０１４に対して、多数のデータストリームに対するトラフィックデータがもたらされる。
【００７４】
いくつかの観点では、各データストリームが、それぞれの送信アンテナを通して送信される。ＴＸデータプロセッサ１０１４は、そのデータストリームに対して選択された特定のコーディングスキームに基づいて、各データストリームに対してトラフィックデータをフォーマットし、コード化し、および、インターリーブして、コード化データをもたらす。
【００７５】
各データストリームに対するコード化されたデータは、ＯＦＤＭ技術を使用して、パイロットデータとともに多重化されてもよい。パイロットデータは、一般的に、知られた方法で処理され、受信機システム中で、チャネル応答を推定するために使用される、知られているデータパターンである。各データストリームに対する多重化されたパイロットおよびコード化データは、次に、そのデータストリームに対して選択された特定の変調スキーム（例えば、ＢＰＳＫ、ＱＳＰＫ、Ｍ−ＰＳＫ、または、Ｍ−ＱＡＭ）に基づいて変調されて（たとえば、シンボルマップされて）、変調シンボルをもたらす。各データストリームに対するデータレート、コーディング、および変調は、プロセッサ１０３０によって実行される命令によって決定されてもよい。データメモリ１０３２は、プロセッサ１０３０、または、デバイス１０１０の、他のコンポーネントによって使用される、プログラムコード、データ、および、他の情報を記憶してもよい。
【００７６】
すべてのデータストリームに対する変調シンボルは、次に、ＴＸ  ＭＩＭＯプロセッサ１０２０に提供され、これは、変調シンボルを（例えば、ＯＦＤＭに対して）さらに処理してもよい。ＴＸ  ＭＩＭＯプロセッサ１０２０は、次に、ＮT個の変調シンボルストリームを、ＮT個のトランシーバ（“ＸＣＶＲ”）１０２２Ａから１０２２Ｔに提供する。いくつかの観点では、ＴＸ  ＭＩＭＯプロセッサ１０２０は、データストリームのシンボルに対して、および、そこからシンボルが送信されているアンテナに対して、ビーム形成重みを適用する。
【００７７】
各トランシーバ１０２２は、それぞれのシンボルストリームを受信および処理して、１つ以上のアナログ信号を提供し、アナログ信号をさらに調整（例えば、増幅し、フィルタし、および、アップコンバート）して、ＭＩＭＯチャネルを通しての送信に適切な変調された信号をもたらす。トランシーバ１０２２Ａから１０２２Ｔからの、ＮT個の変調された信号は、次に、ＮT個のアンテナ１０２４Ａから１０２４Ｔから、それぞれ送信される。
【００７８】
デバイス１０５０において、変調および送信された信号が、ＮR個のアンテナ１０５２Ａから１０５２Ｒによって受信され、各アンテナ１０５２からの受信信号は、それぞれのトランシーバ（“ＸＣＶＲ”）１０５４Ａから１０５４Ｒへと提供される。各トランシーバ１０５４は、それぞれの受信信号を調整（例えば、フィルタし、増幅し、および、ダウンコンバート）して、調整された信号をデジタル化して、サンプルをもたらして、サンプルをさらに処理して、対応する“受信”シンボルストリームをもたらす。
【００７９】
受信（“ＲＸ”）データプロセッサ１０６０は、次に、ＮR個のトランシーバ１０５４からのＮR個の受信シンボルストリームを、特定の受信機処理技術に基づいて、受信および処理して、ＮT個の“検出された”シンボルストリームをもたらす。ＲＸデータプロセッサ１０６０は、次に、各検出されたシンボルストリームを、復調し、デインターリーブし、デコードして、データストリームに対するトラフィックデータを回復させる。ＲＸデータプロセッサ１０６０による処理は、デバイス１０１０におけるＴＸ  ＭＩＭＯプロセッサ１０２０およびＴＸデータプロセッサ１０１４によって実行される処理に対して補完的なものである。
【００８０】
プロセッサ１０７０は、どのプレコーディングマトリックスを使用すべきかを定期的に決定する（以下で記述する）。プロセッサ１０７０は、マトリックスインデックス部分と、ランク値部分とを含む、リバースリンクメッセージを形成する。データメモリ１０７２は、プロセッサ１０７０、または、デバイス１０５０の、他のコンポーネントによって使用される、プログラムコード、データ、および、他の情報を記憶してもよい。
【００８１】
リバースリンクメッセージは、通信リンク、および／または、受信データストリームに関するさまざまなタイプの情報を含んでもよい。リバースリンクメッセージは、次に、ＴＸデータプロセッサ１０３８によって処理され、これはまた、データ源１０３６からの、変調機１０８０によって変調されて、トランシーバ１０５４Ａから１０５４Ｒによって調整されて、デバイス１０１０に送信し戻される、いくつかのデータストリームのトラフィックデータを受け取る。
【００８２】
デバイス１０１０において、デバイス１０５０からの変調された信号は、アンテナ１０２４によって受信され、トランシーバ１０２２によって調整され、復調機（“ＤＥＭＯＤ”）１０４０によって復調され、ＲＸデータプロセッサ１０４２によって処理されて、デバイス１０５０によって送信されたリバースリンクメッセージを抽出する。プロセッサ１０３０は次に、ビーム形成重みを決定するために、どのプレコーディングマトリックスを使用すべきかを決定して、抽出メッセージを処理する。
【００８３】
図１０はまた、通信コンポーネントが、ここで教示するような衝突制御動作を実行する１つ以上のコンポーネントを含んでもよいことも図示する。例えば、衝突制御コンポーネント１０９０は、プロセッサ１０３０、および／または、デバイス１０１０の、他のコンポーネントと協力して、ここで教示するように、他のデバイス（例えば、デバイス１０５０）に対して信号を送ってもよく、他のデバイスからの信号を受け取ってもよい。同様に、衝突制御コンポーネント１０９２は、プロセッサ１０７０、および／または、デバイス１０５０の、他のコンポーネントと協力して、他のデバイス（例えば、デバイス１０１０）に対して信号を送ってもよく、他のデバイスからの信号を受け取ってもよい。それぞれのデバイス１０１０および１０５０に対して、２つ以上の記述したコンポーネントの機能を、単一のコンポーネントによって提供してもよいことを理解すべきである。例えば、単一の処理コンポーネントが、衝突制御コンポーネント１０９０およびプロセッサ１０３０の機能を提供してもよく、単一の処理コンポーネントが、衝突制御コンポーネント１０９２およびプロセッサ１０７０の機能を提供してもよい。
【００８４】
ここでの教示を、さまざまなタイプの通信システム、および／または、システムコンポーネントに組み込んでもよい。いくつかの観点では、利用可能なシステムリソースを共有することによって（例えば、１つ以上の帯域、送信電力、コーディング、インターリーブ等を指定することによって）、複数のユーザとの通信をサポートすることができる多元接続システムにおいて、ここでの教示を用いることができる。例えば、ここでの教示を、以下の技術のうちの何らかのもの、または、これらの組み合わせに適用してもよい。すなわち、コード分割多元接続（“ＣＤＭＡ”）システム、複数キャリアＣＤＭＡ（“ＭＣＣＤＭＡ”）、広帯域ＣＤＭＡ（“Ｗ−ＣＤＭＡ”）、高速パケットアクセス（“ＨＳＰＡ”、“ＨＳＰＡ＋”）システム、時分割多元接続（“ＴＤＭＡ”）システム、周波数分割多元接続（“ＦＤＭＡ”）システム、単一キャリアＦＤＭＡ（“ＳＣ−ＦＤＭＡ”）システム、直交周波数分割多元接続（“ＯＦＤＭＡ”）システム、または、他の多元接続技術である。ここでの教示を用いるワイヤレス通信システムは、ＩＳ−９５、ｃｄｍａ２０００、ＩＳ−８５６、Ｗ−ＣＤＭＡ、ＴＤＳＣＤＭＡ、および、他の標準規格のような、１つ以上の標準規格を実現するように設計されていてもよい。ＣＤＭＡネットワークは、ユニバーサル地上無線接続（“ＵＴＲＡ”）、ｃｄｍａ２０００、または、他の何らかの技術のような無線技術を実現してもよい。ＵＴＲＡは、Ｗ−ＣＤＭＡと、低チップレート（“ＬＣＲ”）とを含む。ｃｄｍａ２０００技術は、ＩＳ−２０００、ＩＳ−９５、ＩＳ−８５６標準規格をカバーする。ＴＤＭＡネットワークは、移動体通信のためのグローバルシステム（“ＧＳＭ（登録商標）”）のような無線技術を実現してもよい。ＯＦＤＭＡネットワークは、進化ＵＴＲＡ（“Ｅ−ＵＴＲＡ”）、ＩＥＥＥ８０２．１１、ＩＥＥＥ８０２．１６、ＩＥＥＥ８０２．２０、フラッシュ−ＯＦＤＭ（登録商標）等のような無線技術を実現してもよい。ＵＴＲＡ、Ｅ−ＵＴＲＡ、およびＧＳＭは、ユニバーサル移動体電気通信システム（“ＵＭＴＳ”）の一部である。ここでの教示を、３ＧＰＰ長期間発展（“ＬＴＥ”）システム、ウルトラ移動体ブロードバンド（“ＵＭＢ”）システム、および、他のタイプのシステムにおいて実現されてもよい。ＬＴＥは、Ｅ−ＵＴＲＡを利用するＵＭＴＳのリリースである。
【００８５】
本開示のある観点は、３ＧＰＰ用語を使用して記述されてもよいが、ここでの教示は、３ＧＰＰ（Ｒｅ１９９、Ｒｅ１５、Ｒｅ１６、Ｒｅ１７）技術、とともに３ＧＰＰ２（ＩｘＲＴＴ、１ｘＥＶ−ＤＯ  Ｒｅ１Ｏ、ＲｅｖＡ、ＲｅｖＢ）技術、および、他の技術に対して適応されてもよいことを理解すべきである。
【００８６】
ここでの教示は、さまざまな装置（例えば、ノード）へと組み込まれてもよい（例えば、これらの内部で実現されてもよく、または、これらによって実行されてもよい）。いくつかの観点では、ここでの教示にしたがって実現されたノード（例えば、ワイヤレスノード）は、アクセスポイントまたはアクセス端末を含んでもよい。
【００８７】
例えば、アクセス端末は、ユーザ装置、加入者局、加入者ユニット、移動局、移動体、移動ノード、リモート局、リモート端末、ユーザ端末、ユーザエージェント、ユーザデバイス、または、他の何らかの用語を含んでもよく、これらの用語として実現されてもよく、あるいは、これらの用語として知られていてもよい。アクセス端末のいくつかの実現は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス通信能力を持つハンドヘルドデバイス、または、他の何らかの適切な、ワイヤレスモデムに接続された処理デバイスを含んでもよい。したがって、ここで教示される１つ以上の観点は、電話機（例えば、セルラ電話機またはスマートフォン）、コンピュータ（例えば、ラップトップ）、ポータブル通信デバイス、ポータブルコンピューティングデバイス（例えば、パーソナルデータアシスタント）、エンターテイメントデバイス（例えば、音楽デバイス、ビデオデバイス、または、衛星無線）、グローバルポジショニングシステムデバイス、または、ワイヤレス媒体によって通信するように構成されている、他の何らかの適切なデバイスへと組み込まれてもよい。
【００８８】
アクセスポイントは、ノードＢ、ｅノードＢ、無線ネットワーク制御装置（“ＲＮＣ”）、基地局（“ＢＳ”）、無線基地局（“ＲＢＳ”）、基地局制御装置（“ＢＳＣ”）、基地トランシーバ局（“ＢＴＳ”）、トランシーバ機能（“ＴＦ”）、無線トランシーバ、無線ルータ、基本サービス組（“ＢＳＳ”）、拡張サービス組（“ＥＳＳ”）、または、他の何らかの類似の用語を含んでもよく、これらとして実現されてもよく、あるいは、これらとして知られていてもよい。
【００８９】
いくつかの観点では、ノード（例えば、アクセスポイント）は、通信システムのためのアクセスノードを含んでもよい。このようなアクセスノードは、例えば、ネットワークに対するワイヤード通信リンク、または、ワイヤレス通信リンクによって、ネットワーク（例えば、インターネットまたはセルラネットワークのようなワイドエリアネットワーク）に対する接続性を提供してもよい。したがって、アクセスノードは、別のノードをイネーブルして、ネットワーク、もしくは、他の何らかの機能にアクセスしてもよい。さらに、ノードのうちの１つまたは両方が、ポータブルであってもよく、あるいは、比較的据え置き型のものであってもよいケースもある。
【００９０】
また、ワイヤレスノードは、ワイヤレスでない方法で（例えば、ワイヤード接続によって）、情報を、送信および／または受信できてもよいことを理解すべきである。このようにして、ここで説明する受信機および送信機は、ワイヤレスでない媒体によって通信する、適切な通信インターフェースコンポーネント（例えば、電気的または光学的インターフェースコンポーネント）を含んでもよい。
【００９１】
ワイヤレスノードは、何らかの適切なワイヤレス通信技術に基づいていてもよく、または、そうでなければ、何らかの適切なワイヤレス通信技術をサポートする、１つ以上のワイヤレス通信リンクを介して通信してもよい。例えば、いくつかの観点では、ワイヤレスノードは、ネットワークに関係していてもよい。いくつかの観点では、ネットワークがローカルエリアネットワークまたはワイドエリアネットワークを含んでもよい。ワイヤレスデバイスは、ここで説明したもののような、１つ以上のさまざまなワイヤレス通信技術、プロトコル、または標準規格（例えば、ＣＤＭＡ、ＴＤＭＡ、ＯＦＤＭ、ＯＦＤＭＡ、ＷｉＭＡＸ、Ｗｉ−Ｆｉ等）をサポートしてもよく、または、そうでなければ、使用してもよい。同様に、ワイヤレスノードは、さまざまな対応する変調または多重化スキームのうちの１つ以上をサポートしてもよく、または、そうでなければ、使用してもよい。ワイヤレスノードは、したがって、上記の、または、他のワイヤレス通信技術を使用する１つ以上のワイヤレス通信リンクによって、通信を確立するための適切なコンポーネント（例えば、エアインターフェース）を含んでもよい。例えば、ワイヤレスノードは、ワイヤレス媒体を通しての通信を容易にする、さまざまなコンポーネント（例えば、信号発生器および信号プロセッサ）を含んでいてもよい、関係する送信機および受信機コンポーネントを備える、ワイヤレストランシーバを含んでもよい。
【００９２】
ここで説明したコンポーネントは、さまざまな方法で実現されてもよい。図１１および１２を参照して、装置１１００および１２００を、（例えば、さまざまなモジュールに対応する）一連の相互に関連する機能ブロックとして表した。いくつかの観点では、これらのブロックの機能は、１つ以上の電気的コンポーネントとして実現してもよい。いくつかの観点では、これらのブロックの機能は、１つ以上のプロセッサコンポーネントを含む処理システムとして実現してもよい。いくつかの観点では、これらのブロックの機能は、例えば、１つ以上の集積回路（例えば、ＡＳＩＣ）の少なくとも一部を使用して実現してもよい。ここで説明するように、集積回路は、プロセッサ、ソフトウェア、他の関連するコンポーネント、または、これらの組み合わせを含んでもよい。これらのブロックの機能はまた、ここで教示したものとは他の何らかの方法で実現されてもよい。いくつかの観点では、図１１および１２の破線のブロックのうちの１つ以上は、オプション的なものである。
【００９３】
装置１１００および１２００は、さまざまな図に関して上で説明した機能のうちの１つ以上を実行してもよい、１つ以上のモジュールを含んでもよい。例えば、識別子提供モジュール１１０２は、例えば、ここで説明した識別子プロバイダに対応していてもよい。信号発生モジュール１１０４は、例えば、ここで説明した信号発生器に対応していてもよい。受信モジュール１１０６は、例えば、ここで説明した受信機に対応していてもよい。送信停止モジュール１１０８は、例えば、ここで説明した衝突制御装置に対応していてもよい。送信検出モジュール１２０２は、例えば、ここで説明した受信機に対応していてもよい。衝突識別モジュール１２０４は、例えば、ここで説明した衝突識別器に対応していてもよい。識別子送信モジュール１２０６は、例えば、ここで説明した送信機に対応していてもよい。
【００９４】
“第１”、“第２”、等のような指定を使用した、ここでのエレメントに対する参照は、一般的に、これらのエレメントの数または順序を制限するものではないことを理解すべきである。むしろ、あるエレメントのうちの、２つ以上のエレメントまたはインスタンスの間を、区別する便利な方法として、これらの指定を使用している。したがって、第１および第２のエレメントに対する参照は、２つだけのエレメントが、そこで用いられることや、第１のエレメントが、第２のエレメントに何らかの方法で、先行する必要があることを意味していない。また、そうではないとして明示しない限り、１組のエレメントは、１つ以上のエレメントを含んでもよい。さらに、詳細な説明、または、特許請求の範囲において使用される、形式“Ａ、Ｂ、または、Ｃのうちの少なくとも１つ”の用語は、“Ａ、または、Ｂ、または、Ｃ、または、これらのエレメントの何らかの組み合わせ”を意味する。
【００９５】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００９６】
ここで開示した実施形態に関連して述べられた、さまざまな例示的な論理ブロック、モジュール、回路およびアルゴリズムステップが、電子ハードウェア（例えば、ソースコーディング、もしくは、他の何らかの技術を使用して設計されていてもよい、デジタル実現、アナログ実現、または、これら２つの組み合わせ）、（ここで、利便性のために、“ソフトウェア”、“ソフトウェアモジュール”として呼んでもよい）命令を組み込んでいる、さまざまな形態のプログラムまたは設計コード、あるいは双方の組み合わせたものとして実現されてもよいことを当業者はさらに正しく認識するであろう。ハードウェアおよびソフトウェアの交換可能性を明確に図示するために、さまざまな例示的なコンポーネント、ブロック、モジュール、回路およびステップを一般的にこれらの機能に関して上述した。このような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、このような実現決定は、本発明の範囲からの逸脱を生じさせるものとして解釈すべきではない。
【００９７】
ここで開示した実施形態に関連して述べた、さまざまな例示的な論理的ブロック、モジュールおよび回路は、集積回路（“ＩＣ”）、アクセス端末、または、アクセスポイント内で、実現されるか、あるいは、これらによって実施されてもよい。ＩＣは、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、電子的コンポーネント、光学的コンポーネント、機械的コンポーネント、あるいは、ここで述べてきた機能を実施するために設計されたこれらの組み合わせを含んでもよく、そして、ＩＣ内部、ＩＣ外部、もしくは、これらの両方に存在するコードまたは命令を実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアに関連している１つ以上のマイクロプロセッサ、あるいは、このような構成の他の何らかのものとして実現してもよい。
【００９８】
何らかの開示したプロセス中のステップの、何らかの特定の順序または階層は、例示的アプローチの例であることが理解されるだろう。本開示の範囲を逸脱することなく、設計のプリファレンスに基づいて、プロセス中のステップの特定の順序または階層を再配置してもよいことが理解されるだろう。添付の方法の請求項は、さまざまなステップのエレメントを例示的順序で提示しているに過ぎず、提示した特定の順序または階層に制限されることを意味するものではない。
【００９９】
１つ以上の例示的な実施形態において、説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令またはコードとして記憶させてもよく、あるいは、コンピュータ読取可能媒体上で１つ以上の命令またはコードとして送信してもよい。コンピュータ読取可能媒体は、コンピュータ記憶媒体と、ある場所から別の場所へのコンピュータプログラムの転送を容易にさせる任意の媒体を含む通信媒体との両方を含む。記憶媒体は、コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。また、任意の接続は、厳密にコンピュータ読取可能媒体として呼ばれる。例えば、ソフトウェアが、ウェブサイト、サーバ、または、他の遠隔源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイディスクを含み、ここで、ディスク（ｄｉｓｋ）は、通常は、磁気的にデータを再生し、ディスク（ｄｉｓｃ）は、レーザーによって光学的にデータを再生する。上記のものの組み合わせがまた、コンピュータ読取可能媒体の範囲内に含まれるだろう。
【０１００】
開示した観点のこれまでの記述は、当業者が本発明を製作または使用できるように提供した。これらの観点に対するさまざま改良は当業者に容易に明らかとなり、ここに定義された一般的な原理は、本発明の精神および範囲を逸脱することなく、他の観点に適用されてもよい。したがって、本発明はここに示された観点に限定されることを意図しているものではなく、ここで開示されている原理および新しい特徴と一致した最も広い範囲に一致させるべきである。
【図１】
2011514103.tif 000003
【図２Ａ】
2011514103.tif 000004
【図２Ｂ】
2011514103.tif 000005
【図３】
2011514103.tif 000006
【図４】
2011514103.tif 000007
【図５】
2011514103.tif 000008
【図６】
2011514103.tif 000009
【図７】
2011514103.tif 000010
【図８】
2011514103.tif 000011
【図９】
2011514103.tif 000012
【図１０】
2011514103.tif 000013
【図１１】
2011514103.tif 000014
【図１２】
2011514103.tif 000015
【国際調査報告】
2011514103.tif 000016
2011514103.tif 000017
2011514103.tif 000018
2011514103.tif 000019
2011514103.tif 000020